(57)【要約】【課題】本発明は、電源平滑回路のコンデンサの電圧を監視するための電圧検出回路を設け、放電抵抗に流す電流を制御することにより、省エネルギー及び発熱抑制を達成することを目的とする。【解決手段】本発明によるブリーダ抵抗通電回路は、電源平滑回路(10)の一対の平滑コンデンサ(C1,C2)の電圧を電圧検出回路(15)で検出し、第２平滑コンデンサ(C2)の電圧が第１平滑コンデンサ(C1)の電圧より大の時のみ一対の放電抵抗(R2)に電流を流して放電するようにした構成である。【選択図】図１
2014087144.tif 000002
【特許請求の範囲】
【請求項１】
電源平滑回路(10)の入力側(11)の第１、第２端子（12,13)間に直列接続された一対の第１、第２平滑コンデンサ(C1,C2)と、前記第１平滑コンデンサ(C1)に並列接続されたブリーダ抵抗(R1)と、前記第２平滑コンデンサ(C2)に並列接続された電圧検出回路(15)と、前記電圧検出回路(15)の出力側に接続されたスイッチング素子(SW)と、前記スイッチング素子(SW)と前記第２平滑コンデンサ(C2)の＋側との間に接続された放電抵抗(R２)と、を備え、
前記電圧検出回路(15)では、前記第１平滑コンデンサ(C1)の＋側と前記第２平滑コンデンサ(C2)の＋側の電圧が比較され、前記第２平滑コンデンサ(C2)の電圧が前記第１平滑コンデンサ(C1)の電圧より大となった時のみ、前記スイッチング素子(SW)がオンとなり前記放電抵抗(R２)に電流が流れて放電が行われることを特徴とするブリーダ抵抗通電回路。
【発明の詳細な説明】
【技術分野】
【０００１】
本発明は、ブリーダ抵抗通電回路に関し、特に、電源平滑回路の耐圧をあげるために電解コンデンサを直列に接続している場合において、＋側の電解コンデンサにはブリーダ抵抗を設け、−側の電解コンデンサには電圧検出回路を設け、−側のコンデンサの電圧が＋側のコンデンサの電圧を上回ったときのみ放電抵抗に通電するようにするための新規な改良に関する。
【背景技術】
【０００２】
従来、用いられていたこの種の電源平滑回路における過電圧保護回路としては、例えば、特許文献１に開示された構成を図２として挙げることができる。
すなわち、図２のＤＣ／ＤＣコンバータ回路１において、入力端子ＩＮ＋に接続された第１の過電流遮断手段であるヒューズＦ１と、入力ライン間に接続され、サージ電圧を一定電圧以下にクランプする過電圧制限手段であるバリスタＤ１と、ヒューズＦ１及びバリスタＤ１の後段に接続された第２の過電流遮断手段であるヒューズＦ２と、ＤＣ／ＤＣコンバータ回路１の出力電圧を入力し、過電圧の発生を検知する過電圧検出手段であるツェナーダイオードＤ２及び抵抗Ｒ１と、出力電圧が過電圧時に入力ライン間を短絡する開閉手段であるサイリスタＤ３から構成されている。
なお、抵抗Ｒ１は、ツェナーダイオードＤ２のリーク電流によりサイリスタＤ３が誤動作するのを防止するためのブリーダ抵抗である。
また、ＤＣ／ＤＣコンバータ回路１の入出力には、それぞれ入出力電圧を平滑するための平滑コンデンサＣ１，Ｃ２を設けている。
【０００３】
図３は何故ブリーダ抵抗が必要となるかを説明するための図である。２つの容量の同じコンデンサＣ１，Ｃ２を直列に接続し、電圧を印加すると、最初は２つのコンデンサに同じ電圧が加わる。
ところが、この状態で放置しておくと、それぞれのコンデンサＣ１，Ｃ２には漏れ電流が存在し、且つその漏れ電流の大きさが、必ずしも同じではないため、徐々に２つのコンデンサの電圧バランスが崩れ、場合によっては、一方のコンデンサに過大な電圧がかかり、コンデンサが破壊されてしまう。
これを防止するため、図４に示すように、各コンデンサＣ１，Ｃ２と並列にブリーダ抵抗Ｒ１，Ｒ２を取り付け、ブリーダ抵抗Ｒ１，Ｒ２に流れる電流が、コンデンサＣ１，Ｃ２の漏れ電流の差より十分大きくなるようにする。
こうすれば、２つのコンデンサＣ１，Ｃ２の放電電流の比は小さくなり、結果として、２つのコンデンサの電圧はあまり差がないようにすることができる。
【先行技術文献】
【特許文献】
【０００４】
【特許文献１】特許第４，６２６，８０９号公報
【発明の概要】
【発明が解決しようとする課題】
【０００５】
従来の電源平滑回路の過電圧保護回路は、以上のように構成されていたため、次のような課題が存在していた。
すなわち、図２に示される従来構成においては、多くの能動部品からなるため、部品点数が多くなり、モータドライバ等の一体組込みには適していなかった。
また、図４の電源平滑回路においては、例えば、ＤＣ６００Ｖ程度の高電圧で駆動するモータドライバにおける電源平滑回路に設置される平滑コンデンサは、耐圧の十分なものがないため、一対のコンデンサを直列接続して耐圧を確保しているが、各コンデンサの漏れ電流にばらつきがあるため、各コンデンサを充電後放置しておくと、電圧バランスが崩れ、コンデンサの耐圧を超える場合があった。
これを防ぐために、各コンデンサに並列にブリーダ抵抗を接続し、常時放電しているが、ブリーダ抵抗に流れる電流は２つのコンデンサの漏れ電流の差より十分大きくする必要があるため、常に無駄なエネルギーを消費することになっていた。
また、このように各ブリーダ抵抗に常時電流が流れていると、各ブリーダ抵抗から発生する熱がその周辺に配設された各種電子デバイスに悪影響を与えることになり、例えば、電解コンデンサの寿命を低減する恐れもあった。
【課題を解決するための手段】
【０００６】
本発明によるブリーダ抵抗通電回路は、電源平滑回路の入力側の第１、第２端子間に直列接続された一対の第１、第２平滑コンデンサと、前記第１平滑コンデンサに並列接続されたブリーダ抵抗と、前記第２平滑コンデンサに並列接続された電圧検出回路と、前記電圧検出回路の出力側に接続されたスイッチング素子と、前記スイッチング素子と第２平滑コンデンサの＋側との間に接続された放電抵抗と、を備え、
前記電圧検出回路では、第１平滑コンデンサの＋側と第２平滑コンデンサの＋側の電圧を比較し、第２平滑コンデンサの電圧が第１平滑コンデンサの電圧より大となったときのみ、スイッチング素子がオンとなり放電抵抗に電流が流れて放電が行われる構成である。
【発明の効果】
【０００７】
本発明によるブリーダ抵抗通電回路は、以上のように構成されているため、次のような効果を得ることができる。
すなわち、電源平滑回路の入力側の第１、第２端子間に直列接続された一対の第１、第２平滑コンデンサと、前記第１平滑コンデンサに並列接続されたブリーダ抵抗と、前記第２平滑コンデンサに並列接続された電圧検出回路と、前記電圧検出回路の出力側に接続されたスイッチング素子と、前記第２平滑コンデンサの＋側とスイッチング素子との間に接続された放電抵抗と、を備え、前記第２平滑コンデンサの電圧が第１平滑コンデンサの電圧より大であることが前記電圧検出回路で検出された時のみ、前記スイッチング素子がオンとなり、前記放電抵抗に電流が流れて放電が行われることにより、従来構成に比較すると、無駄なエネルギー消費がなくなり、モータドライバの内部発熱も抑えることができ、モータドライバの安定動作を得ることができる。
又、前記第１コンデンサに並列に接続するブリーダ抵抗は、第１、第２コンデンサの漏れ電流の差より大きくなるような電流を流せば良いため、図４に示したブリーダ抵抗より流れる電流は少なくすることができる。
【図面の簡単な説明】
【０００８】
【図１】本発明によるブリーダ抵抗通電回路を示す回路図である。
【図２】特許文献１の構成を示す回路図である。
【図３】コンデンサの漏れ電流について説明するための回路図である。
【図４】従来の電源平滑回路を示す回路図である。
【発明を実施するための形態】
【０００９】
本発明は、電源平滑回路の各コンデンサの電圧を監視するための電圧検出回路を設け、第２平滑のコンデンサの電圧が第１平滑のコンデンサの電圧より大である時のみ放電抵抗に電流を流すようにしたブリーダ抵抗通電回路を提供することを目的とする。
【実施例】
【００１０】
以下、図面と共に本発明によるブリーダ抵抗通電回路の好適な実施の形態について説明する。
尚、従来例と同一又は同等部分には、同一符号を付して説明する。
図１において、符号１０で示される電源平滑回路の入力側１１の第１、第２端子１２,１３間には、互いに直列接続された一対の第１、第２平滑コンデンサＣ１，Ｃ２が接続されており、前記第１平滑コンデンサＣ１には、ブリーダ抵抗Ｒ１が並列状態で接続されている。
【００１１】
前記第２平滑コンデンサＣ２には、電圧検出回路１５が並列接続され、この電圧検出回路１５の出力側には、スイッチング素子ＳＷが接続され、このスイッチング素子ＳＷと第２平滑コンデンサＣ２の＋側との間には放電抵抗Ｒ２が接続されている。
従って、前記電源平滑回路１０の出力側１８には、所定の平滑後の電圧が出力されるように構成されている。
【００１２】
前述の構成において、電源平滑回路１０の入力側１１に所定の電圧が印加され、前記電圧検出回路１５に各平滑コンデンサＣ１，Ｃ２の＋側の電圧が入力されて比較され、その結果、第２平滑コンデンサＣ２の電圧が第１平滑コンデンサＣ１の電圧より大となった時のみ、スイッチング素子ＳＷがオンとなり、放電抵抗Ｒ２に電流が流れて放電が行われる。その結果、各コンデンサＣ１，Ｃ２への過充電の防止及び各ブリーダ抵抗Ｒ１の無駄な発熱の抑止を達成することができる。
【産業上の利用可能性】
【００１３】
本発明によるブリーダ抵抗通電回路は、各平滑コンデンサの＋側の電圧を電圧検出回路で検出し、第２平滑コンデンサＣ２の電圧が第１平滑コンデンサＣ１の電圧よりも大の時のみ放電抵抗に電流を流す構成により、無駄なエネルギー消費がなく、装置内部の発熱を抑制してモータドライバの動作の安定化を図ることができる。
【符号の説明】
【００１４】
１０    電源平滑回路
１１    入力側
１２    第１端子
１３    第２端子
１５    電圧検出回路
１６    第１直列体
１７    第２直列体
１８    出力側
Ｃ１，Ｃ２    第１、第２平滑コンデンサ
Ｒ１    ブリーダ抵抗
ＳＷ    スイッチング素子
Ｒ２    放電抵抗
【図１】
2014087144.tif 000003
【図２】
2014087144.tif 000004
【図３】
2014087144.tif 000005
【図４】
2014087144.tif 000006